(57)【要約】      （修正有）【課題】使用され始めて日が浅い「メール便」と、従来の宅配便が一部共通な配送伝票を使用するシステムが出現し、その際に配送物に貼付されて使用される「メール便」配送ラベルが正しく使用されない場合があるため、利用しやすい配送ラベルを提供する。【解決手段】基紙の片側に粘着剤を伴った透過性を有する材料からなる配送ラベル１００が剥離可能に貼り合わされた配送ラベルシート１であって、配送ラベルの表出面には運送会社名，サービス名，配送物追跡用の機械読み取り用配送物識別情報１１の少なくとも一つを含む配送ラベル情報が形成されている。【選択図】  図１
2006215124.tif 000002
【特許請求の範囲】
【請求項１】
基紙の片側に粘着剤を伴った透過性を有する材料からなる配送ラベルが剥離可能に貼り合わされた配送ラベルシートであって、
配送ラベルの表出面には運送会社名，サービス名，配送物追跡用の機械読み取り用識別情報の少なくとも一つを含む配送ラベル情報が形成されたことを特徴とする配送ラベルシート。
【請求項２】
請求項１に記載の配送ラベルシートにおいて、
配送物追跡用の機械読み取り用識別情報形成部が光学読取コードの場合は、機械読み取り用識別情報形成部の背後領域には、機械読み取りを妨げない材料層が形成されたことを特徴とする配送ラベルシート。
【請求項３】
請求項１〜２に何れか１項に記載の配送ラベルシートの使用方法であって、
少なくとも、配送ラベルを基紙から剥がし取るステップと、配送ラベルの透過部から配送物に貼付された配送伝票または宛先記載ラベルに記載された宛先情報が目視で読み取ることができるように配送ラベルを配送物に貼付するステップと、からなることを特徴とする配送ラベルシートの使用方法。
【発明の詳細な説明】
【技術分野】
【０００１】
本発明は、配送ラベルシートとその使用方法に関し、詳しくは基紙の片側に透明な材料からなる配送ラベルが剥離可能に貼り合わされた配送ラベルシートとその使用方法に関する。
【背景技術】
【０００２】
近年では、宅配配送物は当たり前のように利用されている。
この宅配便システムでは、多くの場合、荷物追跡のためのバーコードが印刷された複写形式の配送伝票が配送物に貼付され、使用されている。配送物は、バーコードによって管理され、配送中の位置状況が把握できるようになっている。
また、宅配便システムは、多品種少量な配送物を対象に開発されたもので、安全で、便利なシステムであるが、少ない種類の配送物を大量に依頼する荷主側にとっては、「伝票発行が面倒」，「厳密な荷物の位置状況の把握は不要」等の不満があった。
このような理由から、前記のような配送物に対してはコストダウンが最優先の課題となった。
そこで、宅配業者側は、「紛失時の損害額の減額」，「小サイズに限定」，「ポストインで判取り不要」を条件に、配送伝票のコストダウンを図り、バーコード追跡システムを維持しつつ配送費用のコストダウンを実現した。これが、料金均一で全国に配送可能な「メール便」と呼ばれる宅配サービスである。
この「メール便」に似たサービスは、「はがき」や、「封書」などの郵便物として古くから存在している。郵便の場合は、「はがき」や、「封書」に街で購入可能な「切手」を貼付して「ポスト」に投函することで、郵便物として配達してくれる。
しかし、宅配配送物の中には「第１種郵便物」，「第２種郵便物」の規定から外れる、例えば、カタログやチラシ等の配送物が多く、これらの配送物を「簡便に、安く配送したい」というニーズから「メール便」システムが開発された。
前述の「メール便」用媒体に関しては、利用効率を高めた宛先ラベルに関する技術などが提案されている（例えば、特許文献１参照。）。
【０００３】
【特許文献１】特開２００１−２７２９１４号公報
【発明の開示】
【発明が解決しようとする課題】
【０００４】
使用され始めて日が浅い「メール便」と、従来の宅配便が一部共通な配送伝票を使用するシステムが出現し、その際に配送物に貼付されて使用される「メール便」配送ラベルが正しく使用されない。
【課題を解決するための手段】
【０００５】
前記課題を解決するために、本発明の配送ラベルシートの請求項１に記載の発明は、基紙の片側に粘着剤を伴った透過性を有する材料からなる配送ラベルが剥離可能に貼り合わされた配送ラベルシートであって、配送ラベルの表出面には運送会社名，サービス名，配送物追跡用の機械読み取り用配送物識別情報の少なくとも一つを含む配送ラベル情報が形成されたことを特徴とするものである。
【０００６】
また、請求項２に記載の発明は、請求項１に記載の発明において、配送物追跡用の機械読み取り用配送物識別情報形成部が光学読取コードの場合は、機械読み取り用配送物識別情報形成部の背後領域には、機械読み取りを妨げない材料層が形成されたことを特徴とするものである。
【０００７】
また、請求項３に記載の発明は、請求項１〜２に何れか１項に記載の配送ラベルシートの使用方法であって、少なくとも、配送ラベルを基紙から剥がし取るステップと、配送ラベルの透過部から配送物に貼付された配送伝票または宛先記載ラベルに記載された宛先情報が目視で読み取ることができるように配送ラベルを配送物に貼付するステップと、からなることを特徴とするものである。
【発明の効果】
【０００８】
１）請求項１に記載のように、基紙の片側に粘着剤を伴った透過性を有する材料からなる配送ラベルが剥離可能に貼り合わされた配送ラベルシートであって、配送ラベルの表出面には運送会社名，サービス名，配送物追跡用の機械読み取り用配送物識別情報の少なくとも一つを含む配送ラベル情報が形成されたことによって、ローコストで嵩張らず、再利用が困難で、利用し易い配送ラベルを提供することができる。
２）また、請求項２に記載のように、請求項１に記載の発明において、配送物追跡用の機械読み取り用配送物識別情報形成部が光学読取コードの場合は、機械読み取り用配送物識別情報形成部の背後領域には、機械読み取りを妨げない材料層が形成されたことによって、配送物の表面状態に関係なく使用することができる。
３）また、請求項３に記載のように、請求項１〜２何れか１項に記載の配送ラベルシートの使用方法であって、少なくとも、配送ラベルを基紙から剥がし取るステップと、配送ラベルを粘着剤面が貼付面に対向するように配送物に近付けるステップと、配送ラベルの透過部から配送物に貼付された配送伝票または宛先記載ラベルに記載された宛先情報が目視で読み取ることができるように配送ラベルを配送物に貼付するステップとからなることによって、利用し易い配送ラベルを提供することができると共に、記載された宛先情報を雨や、汚れから守る効果を発揮する。
【発明を実施するための最良の形態】
【０００９】
以下、図面を参照して本発明の配送ラベルシートとその使用方法について説明する。
図１は、本発明の配送ラベルシートの、配送ラベルの一例について説明するための図，図２は、図１のＡ−Ａ線断面図，図３は、配送ラベルシートの使用方法について説明するための図，図４は、図１で示した配送ラベルシートが利用者に配布される場合の形態の一例について説明するための図，である。
【００１０】
図１を参照して、本発明の配送ラベルシートの、配送ラベルの一例について説明する。
図に示すように、配送ラベルシート１の配送ラベル１００の表出面（粘着剤塗布面の逆面）には、メール便種別情報「メール便○○パック」１２とサービス情報「全国均一料金サービス」１３、さらに、バーコードによる機械読み取り用の配送物識別情報１１が配送ラベル情報として形成されている。
機械読み取り用の識別情報としては、例えば、バーコードや二次元コード，ＯＣＲのように印刷やプリンタによって形成するものや、ＲＦＩＤのようにＩＣチップとアンテナを紙に抄き込んだり、ラベル上に形成して配送物に貼付するものがある。
以下の説明では、機械読み取り用の識別情報を、印刷によって形成されたバーコードの例で説明する。
【００１１】
図１に示す、例えば、透明プラスチックフィルム，透明紙をベース基材とする配送ラベル１００には、バーコードによる配送物識別情報１１と、前記メール便種別情報１２やサービス情報１３による配送ラベル情報が印刷されている。
バーコードによる配送物識別情報１１は、光学読取装置によって読み取り可能な表示材料、例えば、赤外線を使用して読み取っている場合は、赤外領域の光を吸収する印刷インキを使用して印刷する。
可視光領域の光を使用して読み取る場合は、可視光領域の光を吸収する印刷インキを使用して印刷する。通常は、墨インキで印刷される。
【００１２】
前述のバーコードによる配送物識別情報１１が可視光領域の光を使用して読み取っている場合は、バーコードによる配送物識別情報１１の背景に読み取りを妨害する色のパターンが存在した場合、光学読取装置はバーコードを正確に読み取ることができない。
配送物の包装紙や、配送伝票，宛名記載ラベル面を「白」で統一することができれば、前記機械読み取りを妨げない材料層（以下、バックコート層という。）は必要ないが、現実問題として徹底することは困難である。
そのために、図に示す太い斜線で示すバーコードによる配送物識別情報１１の背景領域に、例えば、白色系のインキによるバックコート層１０２を形成する。
前記バックコート層１０２は、配送ラベルの表出面に形成されてもでも粘着面側に形成されてもよい。
【００１３】
一方、配送ラベルは、配送伝票や宛先記載ラベルの表面に貼付されるために配送ラベルの透過性を有する領域を通して宛先情報が視認されなければならない。
そのために、宛先情報に重ねられるメール便種別情報「メール便○○パック」１２表示は、透過性に優れ、反射特性を有する、例えば、パールインキのような印刷インキで印刷される。
メール便種別情報の印刷面は、配送ラベルの表出面に形成されてもでも粘着面側に形成されてもよい。
【００１４】
サービス情報１３は、自由な表示色で印刷することができる。
また、サービス情報１３の背景にバックコート層１０２があっても無くても自由であるが、サービス情報１３が視認され易い表示方法で形成されることが好ましい。
【００１５】
図２を参照して、図１のＡ−Ａ線断面について説明する。
本発明の配送ラベルシートは、配送ラベル側からバックコート層１０２，透過性を有する材料による配送ラベル基材１０１，粘着剤層１０３，基紙１０４の順に積層されている。
粘着剤層１０３と基紙１０４の間には、表示しないが、基紙から配送ラベルを剥がし易いように剥離剤層が形成されることが多い。
また、バックコート層１０２は、配送ラベル基材１０１の裏面（粘着剤側）に形成される場合もある。
配送ラベル基材１０１の表出面には、サービス情報１３を印刷したインキ層が形成されている。
市販の透明ラベルシートを購入して本発明の配送ラベルシートを作製する場合は、図２に示す積層構造になっており、この積層構造の場合も、粘着剤層１０３と基紙１０４の間には、剥離剤層が形成されることが多い。
【００１６】
図３を参照して、配送ラベルの使用方法について説明する。
先ず、所定のパッケージ、例えば、包装紙，箱，専用の袋等で配送物をパックする。
次に、配送物の大きさが規格に合致していることを確認する。
図３に示す配送物２に、宛先記載ラベル、または、配送伝票３を貼付する。
配送ラベルシートの基紙を剥がして、宛先記載ラベル、または、配送伝票３の宛先情報記載面３１の上に配送ラベル１００を貼付する。
配送ラベル１００を貼付する際に、粘着剤面が貼付面に対向していることを確認し、配送物２に貼付された配送伝票または宛先記載ラベル３の宛先情報記載面３１が配送ラベル１００のバックコート層で隠れない位置を探して貼付する。
配送ラベル１００の接着面に形成された粘着剤が、宛先記載ラベル、または、配送伝票３の宛先情報記載面３１に接着し、配送ラベルを悪意に再利用しようとして配送物から剥がしても粘着剤形成部に宛先記載ラベル、または、配送伝票の紙の一部が接着しており、粘着剤が機能しない。
また、剥がされた配送ラベルでは上述の理由により、新たな宛先情報を配送ラベル貼付部に表出することができない。
配送ラベル１００が貼付された配送物２は、バーコードによる配送物識別情報によって管理されて配送される。
【００１７】
図４を参照して、図１で示した配送ラベルシートが利用者に配布される配布形態の一例について説明する。
配布される配送ラベルシート１０００には、例えば、Ａ４サイズの基紙１０４０の上に、縦，横各３枚、合計９枚の配送ラベルが貼付される。
９枚の配送ラベルに印刷されたバーコードは、それぞれ異なる番号で印刷されている。
そのために、利用者は、９面付けされた配送ラベルを自由な位置で剥がして使用することができる。
また、それぞれの配送ラベルの境界部分の不要部分は剥ぎ取られた状態になっていて、剥がしやすくなっている。
【００１８】
図２を参照して、本発明の配送ラベルシートを構成する材料の一例について説明する。
配送ラベル基材１０１の材料として、パルプからなる透過性を有する材用を使用する。
透過性を有する材料としては上記以外に、プラスチック製透明フィルム、または、紙に透明樹脂を含浸させた透明紙を使用する。
プラスチック製透明フィルムとしては、透過度が高い、厚さが１０〜１００μｍのポリエステル，ポリスチレン，ポリエチレン，ポリカーボネイト，トリアセテートなどから選択して使用する。
また、樹脂含浸紙として、３０〜１２８ｇ／ｍ2の和紙，上質紙，クラフト紙などの紙に熱可塑性の樹脂を含浸させた紙を使用する。
また、基紙１０４として、６４〜１２８ｇ／ｍ2の上質紙，コート紙，クラフト紙などの紙の中から選択して使用する。
サービス情報１３等の配送ラベル情報や、バックコート層１０２の印刷インキは、市販されているＵＶ乾燥型のオフセットインキを使用する。
剥離剤層（図示せず）に使用する剥離剤、および、粘着剤層１０３に使用する粘着剤は、公知の材料を使用する。
また、透明ラベル用紙として市販されている材料を使用して印刷することもできる。
【産業上の利用可能性】
【００１９】
従来の宅配便と一部共通な配送伝票を使用する「メール便」や、キャンペーン期間中に限定して利用される配送ラベル等に利用できる。
【図面の簡単な説明】
【００２０】
【図１】本発明の配送ラベルシートの配送ラベルの一例について説明するための図である。
【図２】図１のＡ−Ａ線断面図である。
【図３】配送ラベルの使用方法について説明するための図である。
【図４】図１で示した配送ラベルシートが利用者に配布される配布形態の一例について説明するための図である。
【符号の説明】
【００２１】
１      配送ラベルシート
２      配送物
３      配送伝票，宛名記載ラベル
１１    配送物識別情報
１２    メール便種別情報
１３    サービス情報
３１    宛先情報記載面
１００  配送ラベル
１０１  配送ラベル基材
１０２  バックコート層
１０３  粘着剤層
１０４，１０４０  基紙
１０００  配布用配送ラベルシート
【図１】
2006215124.tif 000003
【図２】
2006215124.tif 000004
【図３】
2006215124.tif 000005
【図４】
2006215124.tif 000006